(57)【特許請求の範囲】
【請求項１】
撮影時に所定の検出方式で得られる合焦位置を調整するための補正値を設定可能な撮像装置であって、
ＡＦ補正手段と表示手段とを有し、
前記ＡＦ補正手段は、前記所定の検出方式で得られる合焦位置を補正するキャリブレーションの補正値と、前記キャリブレーションの補正値を調整するキャリブレーション調整の補正値と、を設定することができ、
前記キャリブレーションの補正値と前記キャリブレーション調整の補正値が設定されるとき、前記表示手段は、前記キャリブレーションの補正値を表すための第１の指標と、前記キャリブレーション調整の補正値を表すための第２の指標と、を表示して、前記第１の指標と前記第２の指標との位置関係の情報を表示することを特徴とする撮像装置。
【請求項２】
前記ＡＦ補正手段は、望遠端側の焦点距離と広角端側の焦点距離において、それぞれ、前記キャリブレーションの補正値と前記キャリブレーション調整の補正値を設定することができ、
前記表示手段は、望遠端側の焦点距離と広角端側の焦点距離について、それぞれ、前記第１の指標と前記第２の指標を表示して、前記位置関係の情報を表示することを特徴とする請求項１に記載の撮像装置。
【請求項３】
交換可能なレンズ本体のレンズ情報を読取るレンズ情報読み取り手段と、
前記レンズ情報に対応した前記キャリブレーションの補正値と前記キャリブレーション調整の補正値、及び前記位置関係の情報を読取るキャリブレーション情報読み取り手段と、
を有し、
前記表示手段は、前記レンズ情報、前記レンズ情報に対応した前記キャリブレーションの補正値と前記キャリブレーション調整の補正値、及び前記位置関係の情報を表示することを特徴とする請求項１または２に記載の撮像装置。
【請求項４】
前記ＡＦ補正手段は、ユーザーが前記キャリブレーション調整の補正値を手動で設定できるように構成されていることを特徴とする請求項１から３の何れか１項に記載の撮像装置。
【請求項５】
前記所定の検出方式は位相差検出方式であり、
前記ＡＦ補正手段は、コントラスト検出方式を用いて前記キャリブレーションの補正値を算出し、設定できるように構成されていることを特徴とする請求項１から４の何れか１項に記載の撮像装置。
【請求項６】
前記コントラスト検出方式を用いて前記キャリブレーションの補正値を算出して設定するキャリブレーション補正時の補正値と前記キャリブレーション調整の補正値を手動で設定するキャリブレーション調整後の補正値とから前記位置関係を判定するキャリブレーション補正値比較手段を有することを特徴とする請求項５に記載の撮像装置。
【請求項７】
前記ＡＦ補正手段は、前記キャリブレーションの補正値と前記キャリブレーション調整の補正値を得る焦点距離を、レンズの全焦点距離から、選択できるように構成されていることを特徴とする請求項１から６の何れか１項に記載の撮像装置。
【請求項８】
撮影時に所定の検出方式で得られる合焦位置を調整するための補正値を設定可能な撮像装置におけるＡＦ補正表示方法であって、
前記所定の検出方式で得られる合焦位置を補正するキャリブレーションの補正値と、前記キャリブレーションの補正値を調整するキャリブレーション調整の補正値と、を設定する第１のステップと、
前記キャリブレーションの補正値を表すための第１の指標と、前記キャリブレーション調整の補正値を表すための第２の指標と、を表示して、前記第１の指標と前記第２の指標との位置関係の情報を表示する第２のステップと、
を有することを特徴とするＡＦ補正表示方法。
【請求項９】
前記第１のステップでは、望遠端側の焦点距離と広角端側の焦点距離において、それぞれ、前記キャリブレーションの補正値と前記キャリブレーション調整の補正値を設定し、
前記第２のステップでは、望遠端側の焦点距離と広角端側の焦点距離について、それぞれ、前記第１の指標と前記第２の指標を表示して、前記位置関係の情報を表示することを特徴とする請求項８に記載のＡＦ補正表示方法。
【請求項１０】
前記第１のステップは、
前記所定の検出方式とは別の検出方式により合焦位置の情報を取得するステップと、
前記別の検出方式により取得された合焦位置のときに前記所定の検出方式により検出される当該合焦位置の情報を取得するステップと、
前記別の検出方式による合焦位置の情報と前記所定の検出方式による当該合焦位置の情報とに基づき、前記キャリブレーションの補正値を算出するステップと、
を含むことを特徴とする請求項８または９に記載のＡＦ補正表示方法。
【請求項１１】
前記第１のステップでは、前記キャリブレーション調整の補正値を手動で調整することを特徴とする請求項８から１０の何れか１項に記載のＡＦ補正表示方法。
【請求項１２】
撮影時に所定の検出方式で得られる合焦位置を調整するための補正値を設定可能な撮像装置であって、
ＡＦ補正手段と表示手段とを有し、
前記ＡＦ補正手段は、前記所定の検出方式で得られる合焦位置を補正するキャリブレーションの補正値と、前記キャリブレーションの補正値を調整するキャリブレーション調整の補正値と、を設定することができ、
前記キャリブレーションの補正値と前記キャリブレーション調整の補正値が設定されるとき、前記表示手段は、前記キャリブレーション調整の補正値を表すための指標と、前記キャリブレーションの補正値からの前記指標が表すキャリブレーション調整の補正値による変化を示す情報と、を表示することを特徴とする撮像装置。
【請求項１３】
前記ＡＦ補正手段は、望遠端側の焦点距離と広角端側の焦点距離において、それぞれ、前記キャリブレーションの補正値と前記キャリブレーション調整の補正値を設定することができ、
前記表示手段は、望遠端側の焦点距離と広角端側の焦点距離について、それぞれ、前記指標と前記情報を表示することを特徴とする請求項１２に記載の撮像装置。
【請求項１４】
交換可能なレンズ本体のレンズ情報を読取るレンズ情報読み取り手段と、
前記レンズ情報に対応した前記キャリブレーションの補正値と前記キャリブレーション調整の補正値、及び前記情報を読取るキャリブレーション情報読み取り手段と、
を有し、
前記表示手段は、前記レンズ情報、前記レンズ情報に対応した前記キャリブレーション調整の補正値、及び前記情報を表示することを特徴とする請求項１２または１３に記載の撮像装置。
【請求項１５】
前記ＡＦ補正手段は、ユーザーが前記キャリブレーション調整の補正値を手動で設定できるように構成されていることを特徴とする請求項１２から１４の何れか１項に記載の撮像装置。
【請求項１６】
前記所定の検出方式は位相差検出方式であり、
前記ＡＦ補正手段は、コントラスト検出方式を用いて前記キャリブレーションの補正値を算出し、設定できるように構成されていることを特徴とする請求項１２から１５の何れか１項に記載の撮像装置。
【請求項１７】
前記コントラスト検出方式を用いて前記キャリブレーションの補正値を算出して設定するキャリブレーション補正時の補正値と前記キャリブレーション調整の補正値を手動で設定するキャリブレーション調整後の補正値とから前記情報を判定するキャリブレーション補正値比較手段を有することを特徴とする請求項１６に記載の撮像装置。
【請求項１８】
前記ＡＦ補正手段は、前記キャリブレーションの補正値と前記キャリブレーション調整の補正値を得る焦点距離を、レンズの全焦点距離から、選択できるように構成されていることを特徴とする請求項１２から１７の何れか１項に記載の撮像装置。
【請求項１９】
撮影時に所定の検出方式で得られる合焦位置を調整するための補正値を設定可能な撮像装置におけるＡＦ補正表示方法であって、
前記所定の検出方式で得られる合焦位置を補正するキャリブレーションの補正値と、前記キャリブレーションの補正値を調整するキャリブレーション調整の補正値と、を設定する第１のステップと、
前記キャリブレーション調整の補正値を表すための指標と、前記キャリブレーションの補正値からの前記指標が表すキャリブレーション調整の補正値による変化を示す情報と、を表示する第２のステップと、
を有することを特徴とするＡＦ補正表示方法。
【請求項２０】
前記第１のステップでは、望遠端側の焦点距離と広角端側の焦点距離において、それぞれ、前記キャリブレーションの補正値と前記キャリブレーション調整の補正値を設定し、
前記第２のステップでは、望遠端側の焦点距離と広角端側の焦点距離について、それぞれ、前記指標と前記情報を表示することを特徴とする請求項１９に記載のＡＦ補正表示方法。
【請求項２１】
前記第１のステップは、
前記所定の検出方式とは別の検出方式により合焦位置の情報を取得するステップと、
前記別の検出方式により取得された合焦位置のときに前記所定の検出方式により検出される当該合焦位置の情報を取得するステップと、
前記別の検出方式による合焦位置の情報と前記所定の検出方式による当該合焦位置の情報とに基づき、前記キャリブレーションの補正値を算出するステップと、
を含むことを特徴とする請求項１９または２０に記載のＡＦ補正表示方法。
【請求項２２】
前記第１のステップでは、前記キャリブレーション調整の補正値を手動で調整することを特徴とする請求項１９から２１の何れか１項に記載のＡＦ補正表示方法。
【発明の詳細な説明】
【技術分野】
【０００１】
本発明は、撮像装置に関し、特に、所定のＡＦ（オートフォーカス）検出方式（典型的には位相差検出方式）による合焦位置を補正ないし調整できる機能を有する撮像装置などに関する。
【背景技術】
【０００２】
従来、位相差ＡＦで合焦させる一眼レフカメラは、使用していると、レンズやカメラ本体各々の耐久性に起因して合焦位置と認識される位置が変化し、当初より合焦精度が落ちることがあった。レンズの場合、正しい合焦位置へレンズを駆動するはずが、耐久性によるガタが発生して、レンズ停止位置がずれてしまう場合が考えられる。カメラ本体の場合、位相差検出方式で用いるミラーが駆動されているうちにミラー角度が変化していき、ＡＦセンサへの被写体光の入り方が変化して正しい合焦位置からずれた位置を合焦位置だと認識してしまう場合が考えられる。こうした問題に対して、レンズの焦点距離に応じて合焦位置の補正値を持ち、撮影時のＡＦ補正を行う方法が知られている（特許文献１参照））
【先行技術文献】
【特許文献】
【０００３】
【特許文献１】特開２０００−２９２６８４号公報
【発明の概要】
【発明が解決しようとする課題】
【０００４】
上記先行技術での補正値は、指定した焦点調整領域（ＡＦフレーム）において正しい合焦位置に調整するための値、つまりジャストピントを示す値である。ユーザーによっては更に、撮影対象によって前ピン／後ピンの合焦位置の微調整（例えば位相差ＡＦによる合焦位置に対して合焦位置を前ピンまたは後ピン側に調整すること）も行うことがある。ここで、こうした微調整まで行った調整による補正値を見ても、その値から、過去にどのような調整をしたのか、指定したＡＦフレームでのジャストピントの補正値なのか、などを判断することが容易ではないという問題があった。
【０００５】
本発明は、このような課題を鑑みてなされたものである。その目的は、補正や調整を行う適切なタイミングで前ピン／後ピン情報を記録しておき、補正値や、キャリブレーションの補正値とキャリブレーション調整の補正値の比較などによる前ピン／後ピン情報から調整内容を確認できる様にする技術を提供することである。
【課題を解決するための手段】
【０００６】
上記目的を達成するために、本発明の撮像装置は、撮影時に位相差ＡＦなどの所定の検出方式で得られる合焦位置を調整するための補正値を設定可能な撮像装置であって、次の様に構成される。すなわち、ＡＦ補正手段と表示手段とを有し、前記ＡＦ補正手段は、前記所定の検出方式で得られる合焦位置を補正するキャリブレーションの補正値と、前記キャリブレーションの補正値を調整するキャリブレーション調整の補正値と、を設定することができ、前記表示手段は、前記キャリブレーションの補正値と前記キャリブレーション調整の補正値が設定されるとき、前記キャリブレーションの補正値を表すための第１の指標と、前記キャリブレーション調整の補正値を表すための第２の指標と、を表示して、前記第１の指標と前記第２の指標との位置関係の情報を表示する。或いは、ＡＦ補正手段と表示手段とを有し、前記ＡＦ補正手段は、前記所定の検出方式で得られる合焦位置を補正するキャリブレーションの補正値と、前記キャリブレーションの補正値を調整するキャリブレーション調整の補正値と、を設定することができ、前記表示手段は、前記キャリブレーションの補正値と前記キャリブレーション調整の補正値が設定されるとき、前記キャリブレーション調整の補正値を表すための指標と、前記キャリブレーションの補正値からの前記指標が表すキャリブレーション調整の補正値による変化を示す情報と、を表示する。
【０００７】
また、上記目的を達成するために、本発明のＡＦ補正表示方法は、撮影時に所定の検出方式で得られる合焦位置を調整するための補正値を設定可能な撮像装置におけるＡＦ補正表示方法であって、少なくとも次のステップを有する。前記所定の検出方式で得られる合焦位置を補正するキャリブレーションの補正値と、前記キャリブレーションの補正値を調整するキャリブレーション調整の補正値と、を設定するステップ。前記キャリブレーションの補正値を表すための第１の指標と、前記キャリブレーション調整の補正値を表すための第２の指標と、を表示して、前記第１の指標と前記第２の指標との位置関係の情報を表示するステップ。或いは、前記所定の検出方式で得られる合焦位置を補正するキャリブレーションの補正値と、前記キャリブレーションの補正値を調整するキャリブレーション調整の補正値と、を設定する第１のステップ。前記キャリブレーション調整の補正値を表すための指標と、前記キャリブレーションの補正値からの前記指標が表すキャリブレーション調整の補正値による変化を示す情報と、を表示する第２のステップ。
【発明の効果】
【０００８】
本発明によれば、前ピン／後ピンの合焦位置の微調整などを行ったとしても、例えば、補正ないし調整を行う適切なタイミングでキャリブレーションの補正値とキャリブレーション調整の補正値の比較による前ピン／後ピンの情報などを記録しておく。よって、前ピン／後ピン情報などから調整内容を確認することが可能になる。
【図面の簡単な説明】
【０００９】
【図１】ファインダー撮影時及びライブビュー撮影時のレンズ交換式一眼レフデジタルカメラの内部構造を示す垂直断面図である。
【図２】実施形態１におけるＡＦ補正処理を説明するフローチャートである。
【図３】ＡＦフレーム設定のＧＵＩの例などを示す図である。
【図４】実施形態１におけるキャリブレーション処理のフローチャートと補正値指定のＧＵＩの例を示す図である。
【図５】実施形態１におけるキャリブレーション調整処理とキャリブレーション統合処理を説明するフローチャートである。
【図６】実施形態１における補正値を用いた撮影処理を説明するフローチャートである。
【図７】実施形態２と実施形態３における補正値表示のＧＵＩの例を示す図である。
【発明を実施するための形態】
【００１０】
本発明の特徴は、所定の検出方式で得られる合焦位置を調整するための補正値を設定可能にして、少なくとも、補正値、及び基準の合焦位置に対する補正値で調整された合焦位置の位置関係の情報を保持し、再生できるようにすることである。こうした考え方に基づいて、本発明の撮像装置及びＡＦ補正表示方法は上記課題を解決するための手段のところで述べた様な基本的な構成を有する。ここにおいて、補正値は、他の検出方式で自動的または半自動的（後述の説明を参照）に得られる合焦位置の情報と前記所定の検出方式で得られる当該合焦位置の情報との差分を用いて設定されたり、手動で設定されたりする。そして、再生できるように保持される情報には、少なくとも、最新の補正値、及び基準の合焦位置に対する最新の補正値で調整された合焦位置の位置関係の情報が含まれる。
【００１１】
以下に、図を用いて本発明の実施形態を詳細に説明する。
［実施形態１］
本発明の実施形態１として、レンズ交換可能なデジタル一眼レフカメラシステムについて説明する。図１（ａ）、図１（ｂ）は本実施形態の撮像装置であるカメラの概略断面図である。レンズ本体（１）内に収容された撮像光学系（１０）は、１つ又は複数のレンズ群から構成され、その全てもしくは一部を移動させることで焦点距離（ズーム位置）やフォーカス位置（焦点調節状態）を変化させることができる。レンズ駆動手段（１１）は、レンズの全てもしくは一部を移動させて焦点調節状態を調整する駆動手段である。レンズ状態検出手段（１２）は、撮像光学系（１０）の焦点距離、及びフォーカス位置を検出する検出手段である。レンズ制御手段（１３）は、ＲＯＭ等で構成されたレンズ記憶手段（１４）を含むレンズ本体（１）全体の制御を司る制御手段である。接点（１５）は、レンズ本体（１）及びカメラ本体（２）に具備された接点であり、互いに装着された状態では接点（１５）を介して各種の情報の通信や電源の供給が行われる。
【００１２】
主ミラー（２０）は、ハーフミラーで構成され、カメラの動作状態に応じて回動可能であり、被写体をファインダーで観察する時は図１（ａ）に記載の通り、撮影光路へ斜設され、レンズ本体（１）からの光束を折り曲げて後述のファインダー光学系へ導く。撮影時やライブビュー時は図１（ｂ）に記載の通り、撮影光路から退避して、レンズ本体（１）からの光束を後述の撮像素子（２４）へ導く。サブミラー（２１）は、主ミラー（２０）とともに回動し、主ミラー（２０）が撮影光路へ斜設される時に図１（ａ）に記載の通り、主ミラー（２０）を透過した光束を折り曲げて後述のＡＦセンサ（２２）へ導く。撮影時やライブビュー時は図１（ｂ）に記載の通り、主ミラー（２０）とともに回動して撮影光路から退避する。ＡＦセンサ（２２）は、２次結像レンズや複数のＣＣＤまたはＣＭＯＳからなるエリアセンサ等から構成され、公知の方法である位相差方式で焦点検出を行う。
【００１３】
シャッター（２３）は、レンズ本体（１）からの光束を後述の撮像素子（２４）に入射制御するためにあり、通常は図１（ａ）に記載の通り閉じた状態で、撮影時やライブビュー時に図１（ｂ）に記載の通り開いた状態となる。撮像素子（２４）は、イメージセンサとその周辺回路で構成されている。撮像素子（２４）には、イメージセンサＣＣＤやＣＭＯＳセンサなどが用いられ、撮像光学系（１０）によって結像された被写体像を電気信号に変換する。ピント板（３０）は、レンズ本体（１）の一次結像面に配置され、入射面には集光レンズが設けられ、射出面には被写体像（ファインダー像）が結像する。ペンタプリズム（３１）は、ファインダー光路を変更するもので、ピント板（３０）の射出面に結像した被写体像を正立正像に補正する。接眼レンズ（３２）は、ユーザーがファインダーをのぞいた時、目に合わせて視度を調節できるような構成になっている。ピント板（３０）、ペンタプリズム（３１）、接眼レンズ（３２）により構成されている光学系を、ファインダー光学系と称する。ＡＥセンサ（３３）は、多分割された撮像領域内の各領域に対応したフォトダイオードから構成され、ピント板（３０）の射出面に結像した被写体像の輝度を測定する。
【００１４】
メカ制御手段（４０）は、カメラ部の制御とカメラ全体の制御を行うマイクロコンピュータ（中央処理装置；ＭＰＵ）である。レンズ本体（１）に対してＡＦ補正、レンズ駆動、絞り駆動などのレンズ制御も行う。デジタル制御手段（４１）は、画像データの各種制御を行うメモリコントローラ（ＩＣＵ）である。このデジタル制御手段（４１）は、撮像素子（２４）で撮影された画像のコントラスト検出を行い合焦位置を判定するコントラスト方式の焦点検出手段を用いることができる。カメラ記憶手段（４２）は、本ＡＦ補正システムで制御を行うための各種プログラム、設定、ＡＦ補正に係る補正データ等を格納している。各種プログラムは、レンズ本体（１）からレンズ情報を読取るレンズ情報読み取り手段、ＡＦ補正の補正値を読取るキャリブレーション情報読み取り手段、レンズ補正情報表示手段、キャリブレーション調整時の補正値から前ピン／後ピンを判定するキャリブレーション補正値比較手段などを含む。
【００１５】
液晶モニタ（４３）は、撮影した画像や各種の撮影情報を表示するものである。記録媒体（５０）は、メモリカードやハードディスクなどの画像データを記録するものである。この記録媒体（５０）は、カメラ本体に対して着脱可能である。なお、図１（ａ）、図１（ｂ）には不図示であるが、ＳＥＴボタンとキャンセルボタンが設けられている。液晶モニタ４３にＳＥＴボタン表示がされている場合、このＳＥＴボタンを押すことで、決定や選択等の操作ができる。また、液晶モニタ（４３）にキャンセルボタン表示がされている場合、このキャンセルボタンを押すことで、１つ前の状態に戻る、特定のモードを終了する等の操作ができる。
【００１６】
本実施形態における、コントラスト検出方式を用いた半自動または全自動の位相差ＡＦの補正機能（以下、キャリブレーションとも言う）を有したレンズ交換可能なカメラシステムについて説明する。デジタル制御手段（４１）には、コントラスト検出方式による出力と、ＡＦセンサ（２２）からの出力を制御するメカ制御手段（４０）の出力との差分による補正値を算出する演算手段が設けられている。該演算手段は、補正値を設定するＡＦ補正手段の一部をなす。該演算手段により算出された差分量は、補正値情報としてカメラ記憶手段（４２）に記憶される。本実施形態におけるカメラシステムは、前述した補正値情報を算出し、記憶するためのキャリブレーションモードが設定可能に構成されている。
【００１７】
キャリブレーション処理の例を図２に示すフローチャートを用いて説明する。当該処理は、カメラ記憶手段（４２）に記憶されたキャリブレーションプログラムをメカ制御手段（４０）が実行することにより実施される。ステップＳ１０２において、レンズ本体（１）との通信によりレンズ情報を取得しステップＳ１０４へ進む。ここでレンズ情報は、レンズＩＤ、レンズ名、シリアル番号を含む。また、ここでは、レンズ情報をレンズ本体（１）との通信により取得しているが、事前に通信を行いカメラ記憶手段（４２）に記憶したものを利用しても良い。ステップＳ１０４において、ステップＳ１０２で取得したレンズ情報に対応する補正値などを含むキャリブレーション情報をカメラ記憶手段（４１）から取得しステップＳ１０６ヘ進む。ここで、レンズ情報に対応するキャリブレーション情報がない場合には、デフォルトのキャリブレーション情報を用いる。ステップＳ１０６において、ユーザーにＡＦフレームの選択をさせステップＳ１０８ヘ進む。ＡＦフレームの選択に関する画面を図３（ａ）を用いて説明する。ＡＦフレームの選択に関する画面（２００）は、複数のＡＦフレーム（２０２）と、選択されたＡＦフレーム（２０４）とで構成される。選択されたＡＦフレームは、複数のＡＦフレーム（２０２）とは識別容易な表示になっていて、不図示の操作部材を用いて移動させることが出来る。ユーザーはこの画面を用いてＡＦフレームを選択する。
【００１８】
図２に戻って、ステップＳ１０６においてＡＦフレームが選択されると、ステップＳ１０８において、望遠端を選択しステップＳ１１０へ進む。望遠端の選択に関する画面を図３（ｂ）を用いて説明する。望遠端の選択に関する画面（３００）は、メッセージを表示する領域（３０２）により構成される。この領域にレンズを望遠端に移動させるメッセージを表示し、ユーザーの操作を促す。
【００１９】
図２に戻って、ステップＳ１０８において望遠端が選択されると、ステップＳ１１０においてキャリブレーションを行い、ステップＳ１１６ヘ進む。そしてステップＳ１１６においてキャリブレーション調整を行い、ステップＳ１２０へ進む。キャリブレーション調整のフローは後述する。ステップＳ１２０において、ステップＳ１１０でのキャリブレーションの補正値とステップＳ１１６でのキャリブレーション調整時の補正値を比較する。そして、キャリブレーション調整での補正値がキャリブレーションの補正値（本実施形態で基準の合焦位置を実現する補正値）に対して前ピン、後ピンのどちらになるかを判定しステップＳ１２２へ進む。ステップＳ１２２において、キャリブレーション情報を保存し、ステップＳ１２４へ進む。キャリブレーション情報は、装着されているレンズのレンズＩＤ、レンズ名、シリアル番号、望遠端を示すＩＤと望遠端のＡＦフレーム位置と望遠端の補正値、及び望遠端での前ピン／後ピン情報を含む。この様に、本実施形態では、コントラスト検出方式で補正値を算出して設定するキャリブレーション補正時の補正値と補正値を手動で設定するキャリブレーション調整後の補正値とから前記位置関係を判定するキャリブレーション補正値比較手段を有する。
【００２０】
図２のステップＳ１１０のキャリブレーションのフローについて、図４（ａ）を用いて説明する。このフローに入る前に、被写体を決めておく作業が必要であるので、被写体を決めたところでキャリブレーションをスタートさせる。図４（ａ）のステップＳ２０２において、コントラスト検出方式（ＴＶＡＦ）によって被写体に合焦させ、ステップＳ２０６に進む。ステップＳ２０６において、メカ制御手段（４０）がレンズ制御手段（１３）に信号を送り、レンズ駆動手段（１１）を通じてフォーカスレンズを所定位置に移動させ、ステップＳ２０８へ進む。ステップＳ２０８において、撮像素子（２４）から得られる画像信号のコントラストをデジタル制御手段（４１）に検出させ、ステップＳ２１０へ進む。ステップＳ２１０において、所定回数Ｎに達するまで、Ｓ２０６でのフォーカスレンズの微小移動とＳ２０８でのコントラスト検出とを繰り返し行わせる。所定回数に達したらステップＳ２１２へ進む。所定回数に達しなければＳ２０６へ進む。ステップＳ２１２において、デジタル制御手段（４１）が、Ｎ個のコントラスト検出結果のうち最もコントラストの高い画像信号が得られたフォーカス位置を合焦位置と判定し、メカ制御手段（４０）に信号を送り、ステップＳ２１４へ進む。メカ制御手段（４０）はそのときのレンズ状態検出手段（１２）からの位置情報を、レンズ制御手段（１３）を通じて得て、合焦位置情報を作成する。ここにおいて、ユーザーがレンズのピントリングをまわすことにより、ライブビュー上でピント合わせを行い、手動操作を交えた半自動で高コントラストのフォーカス位置を決定することもできる。
【００２１】
ステップＳ２１４において、ステップＳ２１２で得られた最もコントラストが高いフォーカス位置にレンズ駆動手段（１１）を通じて、フォーカスレンズを移動させ、ステップＳ２１６へ進む。ステップＳ２１６において、メカ制御手段（１３）が、ＡＦセンサ（２２）に位相差ＡＦによる焦点検出を行わせる。そして、そのときの検出結果、すなわち焦点ずれ量（デフォーカス量）をフォーカスレンズの合焦方向への駆動量に換算した値を、レンズ状態検出手段（１２）からのフォーカス位置情報に加えて合焦位置情報を作成し、ステップＳ２２０へ進む。ステップＳ２２０において、合焦位置補正値をデジタル制御手段（４１）に算出させ、ステップＳ２２２へ進む。合焦位置補正値は、メカ制御手段（４０）がデジタル制御手段（４１）により合焦判定させたときの合焦位置情報と、ＡＦセンサ（２２）による検出結果から得られた合焦位置情報との差分である。ステップＳ２２２において、デジタル制御手段（４１）により算出された合焦位置補正値をカメラ記憶手段（４２）に記憶させ、キャリブレーション処理を終了する。この様に、本実施形態では、前記所定の検出方式は位相差検出方式であり、前記ＡＦ補正手段は、コントラスト検出方式を用いて前記補正値を算出し、設定できる手段を含む。
【００２２】
図２のステップＳ１１６のキャリブレーション調整のフローについて、図４（ｂ）と図５（ａ）を用いて説明する。まず、キャリブレーション調整に関する画面を図４（ｂ）を用いて説明する。キャリブレーション調整画面（４００）は、モード（４０１）と目盛り（４０２）と指標（４０４）とＳＥＴボタン（４０６）とキャンセルボタン（４０８）で構成される。モード（４０１）には、現在のモード（補正値の指定のモード）を表示する。目盛り（４０２）には、補正値を表すための目盛りを表示する。この目盛りは、レンズの開放Ｆ値によって１目盛りの表す補正量が変化する「スケール表示」になっている。指標（４０４）には、補正値を表すための指標を表示する。この指標が目盛りのどこにあるかによって、補正値が表される。初期状態の場合は±０の位置に表示される。ＳＥＴボタン（４０６）は、設定を確定するボタンである。キャンセルボタンは、設定をキャンセルするボタンである。
【００２３】
次に、キャリブレーション調整のフローを図５（ａ）を用いて説明する。ステップＳ２５２において、不図示の操作部材を用いて補正値を入力し、ステップＳ２５４へ進む。この操作部材は、ユーザーが補正値を手動で設定できるように構成されたＡＦ補正手段の一部をなす。ステップＳ２５４において、撮影を行い、ステップＳ２５６へ進む。撮影処理は後述の図６のステップＳ３１４における撮影と同様であり、上記操作部材を用いて入力された補正値に基づいてフォーカスレンズが駆動されて行われる撮影である。ステップＳ２５６において、撮影画像を画面に表示し、ステップＳ２５８へ進む。ステップＳ２５８において、キャンセル釦が押された場合（ユーザーが撮影画像を見て再調整したいときなどである）は、ステップＳ２５２へ進む。キャンセル釦が押されていていない場合は、ステップＳ２６０へ進む。ステップＳ２６０において、ＳＥＴ釦が押された場合は、ステップＳ２６２へ進む。ＳＥＴ釦が押されていない場合は、ステップＳ２５８へ進む。ステップＳ２６２において、キャリブレーション調整前の合焦位置補正値にキャリブレーション調整で設定した補正値（これがゼロであるときもあり得る）を加算し、ステップＳ２６４へ進む。ステップＳ２６４において、ステップＳ２６２で算出された合焦位置補正値をカメラ記憶手段（４２）に記憶させ、処理を終了する。この様に、本実施形態では、補正値を設定するステップは、次のステップを含む。位相差方式とは別のコントラスト方式で合焦位置情報を得るステップと、コントラスト方式で取得された合焦位置のときに位相差方式で検出される当該合焦位置の情報を得るステップと、両検出方式による合焦位置情報の差分に基づき補正値を得るステップを含む。また更に、補正値を手動で調整するステップを有する。
【００２４】
図２に戻って、ステップＳ１２２において、キャリブレーション情報が保存されると、ステップＳ１２４において、ユーザーに広角端の選択をさせステップＳ１２６へ進む。広角端の選択に関する画面を図３（ｃ）を用いて説明する。広角端の選択に関する画面（３００）は、メッセージを表示する領域（３０４）により構成される。この領域に、レンズを広角端に移動させるメッセージを表示し、ユーザーの操作を促す。図２のステップＳ１２４において、広角端が選択されると、ステップＳ１２６において、キャリブレーションを行いステップＳ１３２へ進む。ステップＳ１３２では、キャリブレーション調整を行い、ステップＳ１３６へ進む。次にステップＳ１３６においては、ステップＳ１２６でのキャリブレーションの補正値とステップＳ１３２でのキャリブレーション調整での補正値を比較する。そして、キャリブレーション調整での補正値がキャリブレーションの補正値に対して前ピン、後ピンのどちらになるかを判定しステップＳ１３８へ進む。ステップＳ１３８では、キャリブレーション情報を保存し、ステップＳ１４０へ進む。ここでのキャリブレーション情報は、装着されているレンズのレンズＩＤ、レンズ名、シリアル番号、広角端を示すＩＤと広角端のＡＦフレーム位置と広角端の補正値、及び広角端での前ピン／後ピン情報を含む。この様に、本実施形態では、キャリブレーション情報を保持するステップでは、補正値、調整後の補正値、及び前記補正値で調整された合焦位置に対する前記手動調整後の補正値による合焦位置の位置関係の情報を再生できるように保持する。
【００２５】
ステップＳ１４０において、キャリブレーション情報の統合を行い、処理を終了する。キャリブレーションの統合とは、キャリブレーション処理により、調整されたキャリブレーション情報や撮影情報を結びつけ、かつ情報の有効化を行う処理のことである。キャリブレーション統合のフローを図５（ｂ）を用いて説明する。ステップＳ４１４において、ステップＳ１２２で保存されたキャリブレーション情報を有効化し、ステップＳ４１６へ進む。有効化により、その後の撮影で、ステップＳ１１０とステップＳ１１６のキャリブレーションで取得した補正値を利用した撮影を行うことが出来る。ステップＳ４１６では、ステップＳ１３８で保存されたキャリブレーション情報を有効化し、処理を終了する。ここで、「有効化」することの意義は次の通りである。本実施形態では、複数のズーム位置でキャリブレーション補正値を計算するため、シーケンスの途中で異常終了などの割り込みがあった場合に、それらの補正値が不完全となってしまう恐れがある。そこで、全情報が揃った際に、それが有効な情報としてフラグを立てる必要があるとして、「有効化」の処理を行う。
【００２６】
次に、上記キャリブレーションとキャリブレーション調整で取得した補正値を用いた撮影のフローについて、図６を用いて説明する。ステップＳ３０２において、レリーズボタンを半押しの状態（１ｓｔレリーズ）にして、ステップＳ３０４ヘ進む。ステップＳ３０４において、ＡＦセンサ（２２）により位相差方式で焦点検出を行い、ステップＳ３０６へ進む。ステップＳ３０６では、レンズ状態検出手段（１２）で、レンズの焦点距離やフォーカス位置などのレンズ情報を検出して、ステップＳ３０８へ進む。ステップＳ３０８においては、このＡＦセンサ（２２）の焦点検出結果から、撮像レンズ毎に固有の補正値及び前記キャリブレーションで作成した焦点距離に応じた補正値情報をカメラ記憶手段（４２）より取り出す。そして、これを用いて合焦位置情報の補正を行い、ステップＳ３１０へ進む。ここで、合焦位置情報の補正は、前記望遠端と広角端における補正値情報に基づき例えば線形補間方法による算出を行って行われる。ステップＳ３１０では、これらの補正された合焦位置情報を基にレンズ駆動手段（１１）によってレンズを駆動し、合焦動作を完了して、ステップＳ３１２へ進む。ステップＳ３１２においては、レリーズボタンを全押し（２ｎｄレリーズ）して、ステップＳ３１４へ進む。ステップＳ３１４において、撮影が行われ、処理を終了する。
【００２７】
本実施形態では、キャリブレーション情報を望遠端と広角端に分けて記憶しているが、望遠端と広角端のキャリブレーション情報を１つにまとめて記憶しても良い。この場合のキャリブレーション情報は、装着されているレンズのレンズＩＤ、レンズ名、シリアル番号、望遠端を示すＩＤと望遠端のＡＦフレーム位置と望遠端の補正値と前ピン／後ピン情報、さらに、広角端を示すＩＤと広角端のＡＦフレーム位置と広角端の補正値と前ピン／後ピン情報を含む。
【００２８】
以上、このようにキャリブレーションにおいて前ピン／後ピンの情報を再生可能に記録しておくことで、前ピン／後ピンの合焦位置の微調整などを行ったとしても、前ピン／後ピン情報から調整内容を確認することが可能になる。さらに、キャリブレーションの再調整時のユーザーの処理効率を高めることが可能になる。
【００２９】
本実施形態では、ＡＦ補正手段は、望遠端及び広角端における補正値を設定できるように構成されているが、補正値を得る焦点距離を、レンズの全焦点距離から、ユーザーの判断で選択できるように構成することもできる。そして、表示手段により、各焦点距離における補正値を一覧で表示することができる。コントラスト検出方式で位相差ＡＦの補正値を算出して設定する場合に、撮像素子の撮像面の情報によるコントラスト検出方式を用いることができるが、被写体像の輝度を測定するＡＥセンサ（３３）の情報によるコントラスト検出方式を用いることもできる。また、ＡＦ補正手段において補正値を設定する焦点距離は、補正値を設定する焦点距離を選んで提示し、その中から実際に補正値を設定する焦点距離を選択できるように構成することができる。
【００３０】
［実施形態２］
実施形態２では、実施形態１で調整された補正値を表示する仕組みについて具体的に説明する。調整による補正値の表示に関する画面を図７（ａ）を用いて説明する。調整による補正値の表示画面（５００）は、タイトル（５０１）と目盛り（５０２）と指標（５０３）、（５０４）、（５０５）、（５０６）と補正比較情報（５０７）、補正比較情報（５０８）とキャンセルボタン（５０９）で構成される。指標（５０３）、（５０４）、（５０５）、（５０６）は同じように描かれているが、実際は色などにより互いに識別可能になっている。タイトル（５０１）には、補正値の表示という様な画面タイトルを表示する。目盛り（５０２）には、補正値を表すための目盛りを表示する。この目盛りは、レンズの開放Ｆ値によって１目盛りの表す補正量が変化する「スケール表示」になっている。指標（５０３）には、望遠端のキャリブレーションの補正値を表すための指標を表示する。この指標が目盛りのどこにあるかによって、補正値が表される。初期状態の場合は±０の位置に表示される。指標（５０４）には、望遠端のキャリブレーション調整の補正値を表すための指標を表示する。この指標が目盛りのどこにあるかによって、補正値が表される。初期状態の場合は±０の位置に表示される。指標（５０５）には、広角端のキャリブレーションの補正値を表すための指標を表示する。この指標が目盛りのどこにあるかによって、補正値が表される。初期状態の場合は±０の位置に表示される。指標（５０６）には、広角端のキャリブレーション調整の補正値を表すための指標を表示する。この指標が目盛りのどこにあるかによって、補正値が表される。初期状態の場合は±０の位置に表示される。補正比較情報（５０７）には、望遠端のキャリブレーションの補正値とキャリブレーション調整の補正値の比較による前ピン／後ピン情報が表示される。初期状態の場合は±０が表示される。この図では、望遠端のキャリブレーションの補正値に対してキャリブレーション調整の補正値が前ピン設定となっているので、このような表示を行う。補正比較情報（５０８）には、広角端のキャリブレーションの補正値とキャリブレーション調整の補正値の比較により前ピン／後ピン情報が表示される。初期状態の場合は±０が表示される。この図では、広角端のキャリブレーションの補正値に対してキャリブレーション調整の補正値が後ピン設定となっているので、このような表示を行う。キャンセルボタン（５０９）は、画面表示をキャンセルするボタンである。
【００３１】
本実施形態では、以上のように、補正ないし調整を行った時の画像を読み出し表示する。これにより、前ピン／後ピンの合焦位置の微調整を行ったとしても、補正値、及びキャリブレーションの補正値とキャリブレーション調整の補正値の比較による前ピン／後ピン情報から調整内容を確認することが可能になる。さらに、再調整時のユーザーの処理効率を高めることが可能になる。
【００３２】
［実施形態３］
実施形態３では、実施形態２とは異なる態様で、調整された補正値を表示する。その仕組みについて具体的に説明する。調整による補正値の表示に関する画面を図７（ｂ）を用いて説明する。実施形態２では、望遠端の補正値の指標として、キャリブレーションの補正値と望遠端のキャリブレーション調整の補正値を表示しているが、最終的な補正値であるキャリブレーション調整の補正値となる指標（５０４）のみを表示しても良い。同様に広角端の補正値の指標としては、キャリブレーション調整の補正値となる指標（５０６）のみを表示しても良い。実施形態３では、この様な表示にする。
【００３３】
また、実施形態２では、補正比較情報（５０７）には、望遠端のキャリブレーションの補正値とキャリブレーション調整の補正値の比較による前ピン／後ピン情報が表示されていた。これに対して、実施形態３では、指標を１つだけの表示としたので、どの程度前ピン／後ピン設定としているかを分かり易くするために数値（ここでは−３）を表示する。同様に、補正比較情報（５０８）にも、指標を１つだけの表示としたので、どの程度前ピン／後ピン設定としているかを分かり易くするために数値（ここでは＋２）を表示する。
【００３４】
本実施形態では、以上のように、補正ないし調整を行った時の画像を読み出し表示する。これにより、実施形態２と同様な効果を奏することができる。
【００３５】
なお、上述した実施形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。また、コンピュータが読み出したプログラムコードを実行することにより、前述した各実施形態の機能が実現されるだけではない。そのプログラムコードの指示に基づき、コンピュータ上で稼動しているＯＳ（オペレーティングシステム）などが実際の処理の一部又は全部を行い、その処理によって前述した実施形態の機能が実現される場合も含まれている。さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した実施形態の機能が実現される場合も含むものである。
【００３６】
以上、本発明の好ましい実施形態について説明したが、本発明はこれらの実施形態に限定されず、その要旨の範囲内で種々の変形及び変更が可能である。
【符号の説明】
【００３７】
１・・レンズ本体、４２・・レンズ情報読み取り手段、４２・・キャリブレーション情報読み取り手段、４２・・キャリブレーション補正値比較手段、４３・・表示手段
【図１】
0005825834.tif 000002
【図２】
0005825834.tif 000003
【図３】
0005825834.tif 000004
【図４】
0005825834.tif 000005
【図５】
0005825834.tif 000006
【図６】
0005825834.tif 000007
【図７】
0005825834.tif 000008